(57)【要約】【課題】  出力信号のピーク及び感度を、同時に高め、また、更に安定性も向上可能な光検出器を提供することを目的とする。【解決手段】  光検出器では、ガイガーモードで動作するＡＰＤを構成するｐｎ接合が形成されている。クエンチング抵抗Ｒ１は、半導体領域１４上に位置しており、信号読出配線Ｅ３は、個々の半導体領域１４の周囲をリング状に囲んでいる。半導体領域１４の外縁を規定する境界線ＢＹは、信号読出配線Ｅ３によって覆われ、半導体領域１４と信号読出配線Ｅ３との間にはキャパシタが構成されている。キャリアの高周波成分（ピーク成分）は、キャパシタを介して、素早く外部に取り出されるが、信号読出配線Ｅ３が、境界線ＢＹを覆うことにより、半導体における境界線近傍の電位が安定し、出力信号が安定する。【選択図】図１０
2015119093.tif 000002
【特許請求の範囲】
【請求項１】
半導体基板と、
前記半導体基板上に形成された第1半導体領域と、
前記第１半導体領域内に二次元状に複数形成され、前記第１半導体領域よりも不純物濃度が高い第２半導体領域と、
個々の前記第２半導体領域にそれぞれ電気的に接続された複数のクエンチング抵抗と、
複数の前記クエンチング抵抗に電気的に接続された信号読出配線と、
を備え、
前記半導体基板と前記第１半導体領域との間の界面、又は、前記第１半導体領域と前記第２半導体領域との間の界面において、ガイガーモードで動作するＡＰＤを構成するｐｎ接合が形成された光検出器であって、
前記クエンチング抵抗は、前記第２半導体領域上に位置しており、且つ、
平面視において、
前記信号読出配線は、
個々の前記第２半導体領域の周囲をリング状に囲むと共に、
前記第２半導体領域と前記第１半導体領域との間の境界線を覆っている、
ことを特徴とする光検出器。
【請求項２】
平面視において、
前記信号読出配線は、
前記第２半導体領域と前記第１半導体領域との間の境界線を全て覆っている、
ことを特徴とする請求項１に記載の光検出器。
【請求項３】
平面視において、
前記信号読出配線は、
前記第２半導体領域と前記第１半導体領域との間の境界線のうち一部のみを覆っており、
前記信号読出配線における前記覆っている部分の前記信号読出配線の幅方向の寸法は、この部分に隣接する部分の幅方向の寸法よりも大きい、
ことを特徴とする請求項１に記載の光検出器。
【請求項４】
半導体基板と、
前記半導体基板上に形成された第1半導体領域と、
前記第１半導体領域内に二次元状に複数形成され、前記第１半導体領域よりも不純物濃度が高い第２半導体領域と、
個々の前記第２半導体領域にそれぞれ電気的に接続された複数のクエンチング抵抗と、
複数の前記クエンチング抵抗に電気的に接続された信号読出配線と、
を備え、
前記半導体基板と前記第１半導体領域との間の界面、又は、前記第１半導体領域と前記第２半導体領域との間の界面において、ガイガーモードで動作するＡＰＤを構成するｐｎ接合が形成された光検出器であって、
平面視において、
前記信号読出配線は、個々の前記第２半導体領域の周囲をリング状に囲むと共に、
個々の前記クエンチング抵抗は、屈曲すること無く直線的に延びている、
ことを特徴とする光検出器。
【発明の詳細な説明】
【技術分野】
【０００１】
本発明は、ポジトロンＣＴ装置（Ｐｏｓｉｔｒｏｎ  Ｅｍｉｓｓｉｏｎ  Ｔｏｍｏｇｒａｐｈｙ：ＰＥＴ装置）やＣＴ装置などの医療機器に利用可能な光検出器に関するものである。
【背景技術】
【０００２】
現在、様々な医療機器が用いられている。ＰＥＴ装置は、ポジトロン（陽電子）を放出するアイソトープで標識された薬剤を生体内に導入し、薬剤に起因するγ線を複数の検出器で検出する装置である。ＰＥＴ装置は、リング状のガントリ（架台）、クレードル（寝台）、操作用のコンピュータを備えおり、ガントリ内部には、生体周囲に配置される複数の検出器が内蔵されている。
【０００３】
ここで、Ｘ線又はγ線の効率的な検出器は、シンチレータと光検出器とを組み合わせることで構成することができる。
【０００４】
なお、Ｘ線ＣＴ装置とＰＥＴ装置とを組み合わせたＣＴ／ＰＥＴ装置や、これらにＭＲＩ（磁気共鳴画像診断）装置を組み合わせた複合診断装置も考えられている。
【０００５】
上述のような診断装置に適用される光検出器（フォトダイオードアレイ）は、例えば、特許文献１に記載されている。ＳｉＰＭ（Ｓｉｌｉｃｏｎ  Ｐｈｏｔｏ  Ｍｕｌｔｉｐｌｉｅｒ）又はＰＰＤ（Ｐｉｘｅｌａｔｅｄ  Ｐｈｏｔｏｎ  Ｄｅｔｅｃｔｏｒ）などのフォトダイオードアレイでは、ＡＰＤ（アバランシェフォトダイオード）をマトリックス状に配置し、複数のＡＰＤを並列に接続し、ＡＰＤ出力の和を読み出す構成を有している。ＡＰＤをガイガーモードで動作させると、微弱な光を検出することができる。
【０００６】
すなわち、光子（フォトン）がＡＰＤに入射した場合、ＡＰＤ内部で発生したキャリアは、クエンチング抵抗及び信号読出用の配線パターンを介して外部に出力される。ＡＰＤにおける電子雪崩の発生した画素には、電流が流れるが、画素に直列接続された数百ｋΩ程度のクエンチング抵抗において、電圧降下が発生する。この電圧降下により、ＡＰＤの増幅領域への印加電圧が低下して、電子雪崩による増倍作用は終息する。このように、１つの光子の入射により、１つのパルス信号がＡＰＤから出力される。
【０００７】
ＰＥＴ装置などの機器においては、光検出器からの出力信号のピーク（光子の入射タイミング）と検出された光子量（感度）が利用され、いずれも値が大きいほど好ましい。
【先行技術文献】
【特許文献】
【０００８】
【特許文献１】特開２００８−３１１６５１号公報
【発明の概要】
【発明が解決しようとする課題】
【０００９】
従来の光検出器においては、フォトダイオードアレイを構成する各光検出チャンネルの周縁が電位安定化のためにＡｌ等の金属膜で覆われるとともに、クエンチング抵抗が光検出チャンネルの周縁を覆う金属膜の外側に配置されていたため、隣接する光検出チャンネルの間となる領域を小さくしてフォトダイオードアレイの開口率、感度を向上するのには限界があった。また、出力信号のピークを高くすることで、ノイズ等による出力信号のベースラインの揺らぎの影響を低減し、時間分解能を向上することが求められていた。
【００１０】
本発明は、このような課題に鑑みてなされたものであり、出力信号のピークを高めて時間分解能を向上するとともに、高開口率、高感度を実現した光検出器を提供することを目的とする。
【課題を解決するための手段】
【００１１】
上述の課題を解決するため、第１の発明の態様に係る光検出器は、半導体基板と、前記半導体基板上に形成された第１半導体領域と、前記第１半導体領域内に二次元状に複数形成され、前記第１半導体領域よりも不純物濃度が高い第２半導体領域と、個々の前記第２半導体領域にそれぞれ電気的に接続された複数のクエンチング抵抗と、複数の前記クエンチング抵抗に電気的に接続された信号読出配線と、を備え、前記半導体基板と前記第１半導体領域との間の界面、又は、前記第１半導体領域と前記第２半導体領域との間の界面において、ガイガーモードで動作するＡＰＤを構成するｐｎ接合が形成された光検出器であって、前記クエンチング抵抗は、前記第２半導体領域上に位置しており、且つ、平面視において、前記信号読出配線は、個々の前記第２半導体領域の周囲をリング状に囲むと共に、前記第２半導体領域と前記第１半導体領域との間の境界線を覆っていることを特徴とする。
【００１２】
この光検出器によれば、信号読出配線が、上記境界線を覆うように、第２半導体領域の周囲をリング状に囲んでいるため、第２半導体領域と信号読出配線との間は非常に近くなり、これらの間にはキャパシタが構成されている。光子の入射に応答して第２半導体領域で発生したキャリアの高周波成分（ピーク成分）は、当該キャパシタを介して、素早く外部に取り出される。また、信号読出配線が、上記境界線を覆うことにより、半導体における境界線近傍の電位が安定し、出力信号が安定になる。ここで、クエンチング抵抗は、第２半導体領域上に形成されているため、信号読出配線を上述の配置とすることができ、配線やクエンチング抵抗によって邪魔されることで、第２半導体領域の開口率を小さくしなくても良いため、画素当たりに検出する光量（感度）を大きくすることができる。
【００１３】
このように、本光検出器によれば、出力信号のピークを高めるとともに、高開口率、高感度を実現し、更に出力信号を安定させることができる。
【００１４】
また、第２の発明の態様に係る光検出器は、平面視において、前記信号読出配線は、前記第２半導体領域と前記第１半導体領域との間の境界線を全て覆っていることを特徴とする。
【００１５】
この場合、信号読出配線と第２半導体領域との間に形成されるキャパシタの容量を大きくして、信号読出配線を介した出力信号のピークを高くすることができる。
【００１６】
また、第３の発明の態様に係る光検出器は、平面視において、前記信号読出配線は、前記第２半導体領域と前記第１半導体領域との間の境界線のうち一部のみを覆っており、前記信号読出配線における前記覆っている部分の前記信号読出配線の幅方向の寸法は、この部分に隣接する部分の幅方向の寸法よりも大きいことを特徴とする。
【００１７】
この場合、信号読出配線は、上記境界線の一部のみしか覆っていないが、幅方向の寸法が大きいので、キャパシタの容量を大きくして、信号読出配線を介した出力信号のピークを高くすることができる。
【００１８】
また、第４の発明の態様に係る光検出器は、半導体基板と、前記半導体基板上に形成された第1半導体領域と、前記第１半導体領域内に二次元状に複数形成され、前記第１半導体領域よりも不純物濃度が高い第２半導体領域と、個々の前記第２半導体領域にそれぞれ電気的に接続された複数のクエンチング抵抗と、複数の前記クエンチング抵抗に電気的に接続された信号読出配線と、を備え、前記半導体基板と前記第１半導体領域との間の界面、又は、前記第１半導体領域と前記第２半導体領域との間の界面において、ガイガーモードで動作するＡＰＤを構成するｐｎ接合が形成された光検出器であって、前記クエンチング抵抗は、前記第２半導体領域上に位置しており、且つ、平面視において、前記信号読出配線は、個々の前記第２半導体領域の周囲をリング状に囲むと共に、個々の前記クエンチング抵抗は、屈曲すること無く直線的に延びていることを特徴とする。
【００１９】
この光検出器によれば、信号読出配線が、第２半導体領域の周囲をリング状に囲んでいるため、第２半導体領域と信号読出配線との間は近くなり、これらの間にはキャパシタが構成されている。光子の入射に応答して第２半導体領域で発生したキャリアの高周波成分（ピーク成分）は、当該キャパシタを介して、素早く外部に取り出される。ここで、クエンチング抵抗は、第２半導体領域上に形成されているため、信号読出配線を上述の配置とすることができ、配線やクエンチング抵抗によって邪魔されることで第２半導体領域の開口率を小さくしなくても良いため、画素当たりに検出する光量（感度）を大きくすることができる。また、クエンチング抵抗が屈曲することなく直線的に延びていることで、第２半導体領域を覆う部分が小さくなり、開口率が大きくなるという利点もある。
【発明の効果】
【００２０】
本発明の光検出器によれば、出力信号のピークを高めるとともに、高開口率、高感度を実現することができる。
【図面の簡単な説明】
【００２１】
【図１】ＰＥＴ装置等の被検体診断装置の構成を示す図である。
【図２】シンチレータＳＣと光検出器Ｄ１を備える検出器Ｄの構造を示す図である。
【図３】光検出器Ｄ１を構成するフォトダイオードアレイＰＤＡの回路図である。
【図４】１つのフォトダイオード及びクエンチング抵抗の回路図（Ａ）と、この構成を実現するための半導体チップ内の単位構造を示す図（Ｂ）である。
【図５】図４に示した単位構造の平面図である。
【図６】図５に示した単位構造を複数備えてなるフォトダイオードアレイの平面図である。
【図７】図６又は図１１のフォトダイオードアレイのＡ−Ａ矢印縦断面構成を示す図である。
【図８】改良した単位構造の平面図である。
【図９】図８に示した単位構造を複数備えてなるフォトダイオードアレイの平面図である。
【図１０】図９のフォトダイオードアレイのＡ−Ａ矢印縦断面構成を示す図である。
【図１１】別の改良をしたフォトダイオードアレイの平面図である。
【図１２】時間（ｎｓ）とフォトダイオードアレイの出力信号の強度（ａ．ｕ．）を示すグラフであり、（Ａ）は比較例のデータを、（Ｂ）は実施例のデータを示す。
【発明を実施するための形態】
【００２２】
以下、実施の形態に係る光検出器について説明する。なお、同一要素又は同一機能を有する要素には、同一符号を用いることとし、重複する説明は省略する。
【００２３】
まず、実施形態に係る光検出器が適用可能な被検体診断装置について説明する。
【００２４】
図１は、ＰＥＴ装置やＣＴ装置などの被検体診断装置の概略図である。この被検体診断装置は、一般的なものであり、実施形態に係る光検出器は、このようなタイプの被検体診断装置に適用することができる。
【００２５】
被検体診断装置は、クレードル１０１と、クレードル１０１が内部に位置する開口を有するガントリ１０２と、制御装置１０３とを備えている。制御装置１０３は、クレードル１０１を移動させる駆動モータ１０４を、駆動モータ制御信号によって制御し、クレードル１０１のガントリ１０２に対する相対位置を変化させる。クレードル１０１上には、診断が行われる被検体１０５が配置される。被検体１０５は、駆動モータ１０４の駆動によって、ガントリ１０２の開口の内部へと搬送される。駆動モータ１０４は、クレードル１０１を移動させてもよいが、ガントリ１０２を移動させてもよい。
【００２６】
ガントリ１０２の開口を囲むように、検出装置１０６が複数配置されている。検出装置１０６は、それぞれが複数の検出器Ｄ（図２参照）を有する。
【００２７】
図２は、検出器Ｄの構造を示す図である。基板ＳＢ上に複数の検出チップＤ０が配置されている。１つの検出チップＤ０は、光検出器Ｄ１と、光検出器Ｄ１上に固定されたシンチレータＳＣからなる。シンチレータＳＣに、Ｘ線やγ線などのエネルギー線（放射線）が入射すると、蛍光が発生し、かかる蛍光を光検出器Ｄ１が検出する。
【００２８】
再び、図１を参照する。制御装置１０３からは、検出装置１０６を制御する制御信号がガントリ１０２に出力され、ガントリ１０２からは検出装置１０６からの検出信号が制御装置１０３に入力される。
【００２９】
まず、被検体診断装置が、ＰＥＴ装置の場合について説明する。
【００３０】
ＰＥＴ装置では、ガントリの開口を囲むように、複数の検出器Ｄがリング状に配置されている。各検出器Ｄに含まれる光検出器Ｄ１は、二次元状に配置された複数のフォトダイオードアレイＰＤＡ（図３参照）を有している。被検体１０５には、陽電子（ポジトロン）を放出するタイプの放射性同位元素（ＲＩ）（陽電子放出核種）が注入されている。なお、ＰＥＴ装置において使用されるＲＩは、炭素、酸素、フッ素、窒素などの生体中に存在する元素である。陽電子は、体内の陰電子と結合して消滅放射線（γ線）を発生する。すなわち、被検体１０５からは、γ線が出射される。検出器Ｄは、出射されたγ線を検出し、制御装置１０３における信号処理回路５０に検出信号を出力する。
【００３１】
検出器Ｄは、複数のフォトダイオードアレイＰＤＡ（図３参照）の集合体である。信号処理回路５０は、検出器Ｄからの検出信号を処理して、（１）各検出器Ｄから出力される総エネルギーＥ、（２）複数のフォトダイオードアレイＰＤＡの中で、γ線の入射した位置Ｐ、（３）γ線の入射に応じて、シンチレータから出射された蛍光が、光検出器に入射した際に、初期の段階で光検出器から出力される検出信号の波形ピークのタイミングＴを出力する。
【００３２】
被検体１０５から出射されたγ線に応じて、出力された情報であるエネルギーＥ、位置Ｐ、タイミングＴは、図示しないＡＤ変換回路で、デジタル信号に変換された後、コンピュータ５１に入力される。コンピュータ５１は、ディスプレイ５２、記憶装置５３、中央処理装置（ＣＰＵ）５４、入力装置５５、ソフトウエアから構成される画像処理回路５６を備えている。入力装置５５から、ＣＰＵ５４に処理命令を入力すると、記憶装置５３に格納されたプログラムに基づいて、各検出器Ｄに制御信号が送信され、検出器ＤのＯＮ／ＯＦＦが制御できる。
【００３３】
画像処理回路５６は、各検出器Ｄから出力された検出信号（エネルギーＥ、位置Ｐ，タイミングＴ）を画像処理し、被検体１０５の内部情報に関する画像、すなわち断層化した画像を作成する。画像処理のアルゴリズムは複数のものが従来から知られているので、それを適用すればよい。作成された画像は、記憶装置５３内に格納され、ディスプレイ５２上に表示することができる。記憶装置５３には、画像処理等を行うプログラムが格納されており、ＣＰＵ５４からの指令により、当該プログラムは動作する。検査に必要な一連の操作（制御信号（検出器のＯＮ／ＯＦＦ）の検出器Ｄへの出力、駆動モータの制御、検出器Ｄからの検出信号の取り込み、画像処理、作成画像の記憶装置への格納、ディスプレイへの表示）は、入力装置５５によって行うことができる。
【００３４】
被検体１０５の内部におけるＲＩ位置Ｐからは、γ線が一方向とこれとは逆方向に向けて出射される。複数の検出器Ｄは、リング状に配置されており、特定の検出器Ｄ（ｎ）と、ＲＩ位置を挟んで、これに対向する検出器Ｄ（ｋ）にγ線が入射する。Ｎ個の検出器Ｄを１つのリング上に配置している場合には、最も高い位置にある検出器Ｄから、時計まわりに数えてｎ番目の検出器Ｄ（ｎ）と、ｋ番目の検出器Ｄ（ｋ）にγ線が入射するが、ＲＩ位置Ｐがリングの中心にあり、リングの面内においてγ線が互いに逆方向に向かう場合には、ｋ＝ｎ＋（２／Ｎ）となる。なお、ｎ、ｋ、Ｎは自然数である。
【００３５】
ＰＥＴ装置が、ＴＯＦ型（Ｔｉｍｅ  Ｏｆ  Ｆｌｉｇｈｔ）である場合、ＲＩを含む物質を人体や動物及び植物などに投与し、その測定対象中において電子・陽電子対消滅で生成される放射線対（γ線）を計測することにより、測定対象内のその投与物質の分布についての情報を得るものである。すなわち、対向位置に配置された検出器Ｄのそれぞれの各信号処理回路５０から出力されるタイミングＴが判明すれば、タイミングの差分が、対向する検出器Ｄ間の対角線上における、リングの重心位置からのＲＩ位置Ｐの変位距離に対応するため、位置検出ができる。
【００３６】
また、コンピュータ５１では、２つのタイミングＴが求められた場合には、これが電子・陽電子消滅に起因して発生したものかどうかも判定する。この判定は、一方の検出器Ｄ（ｎ）においてγ線が検出された検出時刻の前後の一定時間の間に、他方の検出器Ｄ（ｋ）においてγ線が検出されたか否かによりなされる。この条件で検出された場合には、同一の電子・陽電子対消滅に伴って発生したγ線対であると判定でき、有効な値として画像処理回路５６における画像処理に採用することができる。
【００３７】
タイミングＴの測定においては、所定の閾値（ＳＨとする）を、検出器Ｄの信号強度が超えた場合には、γ線の入射があったと判定し、そうでない場合には、入射が無かったと判定する。閾値ＳＨは、例えば電子・陽電子対消滅に伴って発生する一対のγ線の光子エネルギーである５１１ｋｅＶの付近に設定される。これにより、電気的ノイズ信号や、散乱ガンマ線（消滅γ線の一方或いは両方が散乱物質により方向を変えられたγ線であり、散乱のためにエネルギーが減少している）に起因するノイズ信号等が除かれる。
【００３８】
タイミングＴの判定後も、シンチレータからの光検出器への蛍光入射は持続するため、蛍光入射光量の積算値を求めれば、入射した蛍光の強度、すなわち、エネルギーＥを求めることができる。各検出器Ｄ内における蛍光の入射位置Ｐは、信号処理回路５０において各フォトダイオードアレイからの信号強度の二次元的な重心位置を求めることにより、算出することができる。この位置Ｐは、必要に応じて、より精密な画像解析を行う場合に、用いることができる。
【００３９】
ＴＯＦ−ＰＥＴ装置は、複数の検出器Ｄからなる放射線検出器アレイ（検出装置１０６）と、信号処理回路５０と、信号処理回路５０の出力に基づいて、画像処理を行うコンピュータ５１を有している。これらの構成は、リング状に配置された全ての検出器Ｄに採用されているが、説明の明確化のため、同図では１つの信号処理回路５０を代表して示している。
【００４０】
次に、被検体診断装置が、Ｘ線ＣＴ装置の場合について説明する。
【００４１】
Ｘ線ＣＴ装置も、上述の構造のクレードル１０１とガントリ１０２を備えているが、ガントリ１０２はＸ線を出射するＸ線源（図示せず）を内蔵している。Ｘ線源からのＸ線が入射する位置に、複数の検出器Ｄが配置され、検出装置１０６が構成されている。
【００４２】
図１のガントリ１０２の開口内に位置するクレードル１０１には被検体１０５が配置され、被検体１０５にはＸ線源からＸ線が照射される。被検体１０５を透過したＸ線は、複数の検出器Ｄにて検出され、この検出信号を、アンプ等を内蔵する信号処理回路５０を介して、コンピュータ５１に入力し、画像処理することで、被検体１０５の内部情報に関する画像、すなわちコンピュータ断層画像を得ることができる。Ｘ線ＣＴ装置の場合、検出器Ｄはガントリ１０２の開口軸の回りに回転させる構成としてよい。
【００４３】
ＰＥＴ装置とＸ線ＣＴ装置を一体化している場合には、制御装置１０３は、ＰＥＴ装置で得られた画像と、Ｘ線ＣＴ装置で得られた画像とを重ねることができる。Ｘ線ＣＴ装置においては、実施形態に係る検出器Ｄを用いているので、高品質な画像を取得することが可能である。
【００４４】
被検体１０５は、リング状に配置された検出装置１０６の中心に配置される。検出装置１０６は、回転軸ＡＸを中心に回転する。図示しないＸ線源からは、被検体１０５にＸ線が照射され、これを透過したＸ線が複数の検出器Ｄ（ｎ）に入射する。各検出器の出力は、信号処理回路５０を経て、コンピュータ５１に入力される。Ｘ線ＣＴ装置の制御装置１０３は、ＰＥＴ装置と同様に機能するディスプレイ５２、ＣＰＵ５４、記憶装置５３、入力装置５５、画像処理回路５６を備えている。
【００４５】
入力装置５５により、撮影の開始が指示されると、記憶装置５３に格納されたプログラムが起動し、Ｘ線源駆動回路が制御され、この駆動回路からＸ線源に駆動信号が出力され、Ｘ線源からＸ線が出射される。また、記憶装置５３に格納されたプログラムが起動し、ガントリ駆動モータを駆動し、検出装置１０６、ガントリ開口軸の周りに回転させ、更に、制御信号（検出器のＯＮ／ＯＦＦ）を検出器Ｄに出力して、検出器ＤをＯＮさせ、検出信号を、信号処理回路５０を介して、コンピュータ５１の画像処理回路５６に入力する。画像処理回路５６では、記憶装置５３に入力された断層画像作成プログラムにしたがって、コンピュータ断層画像を作成する。作成された画像は、記憶装置５３に格納され、ディスプレイ５２に表示することができる。
【００４６】
上述のように、記憶装置５３には、画像処理等を行うプログラムが格納されており、中央処理装置（ＣＰＵ）５４からの指令により、当該プログラムは動作する。検査に必要な一連の操作（制御信号（検出器のＯＮ／ＯＦＦ）の検出器Ｄへの出力、各種駆動モータの制御、検出器Ｄからの検出信号の取り込み、検出信号の画像処理、作成画像の記憶装置への格納、ディスプレイへの表示）は、入力装置５５によって行うことができる。
【００４７】
なお、各種プログラムは、従来の装置に搭載されているものを用いることができる。
【００４８】
図３は、フォトダイオードアレイＰＤＡの回路図である。
【００４９】
光検出器Ｄ１は半導体チップを備えており、半導体チップの光感応領域内にフォトダイオードアレイＰＤＡが形成されている。フォトダイオードアレイＰＤＡは、複数のフォトダイオードＰＤと、各フォトダイオードＰＤにそれぞれ直列に接続されたクエンチング抵抗Ｒ１とを有している。各フォトダイオードＰＤのカソード同士は共通接続されており、アノード同士はクエンチング抵抗Ｒ１を介して共通接続されている。複数のフォトダイオードＰＤは、二次元的に配置される。
【００５０】
また、全てのクエンチング抵抗Ｒ１は、電極又は配線Ｅ３を介して、電極パッドＰＡＤに接続されている。半導体チップでは、フォトダイオードＰＤのカソード側の電位（＋）が、アノード側の電位（−）よりも相対的に高く設定される。アノードとなる電極パッドＰＡＤから信号が取り出される。なお、フォトダイオードにおけるカソードとアノードは置換して用いることもできるし、半導体チップにおける導電型には、Ｎ型とＰ型があるが、これらは互いに置換しても、同様の機能を奏することができる。
【００５１】
なお、フォトダイオードＰＤは、ガイガーモードで動作するアバランシェフォトダイオード（ＡＰＤ）である。ガイガーモードでは、ＡＰＤのブレイクダウン電圧よりも大きな逆方向電圧（逆バイアス電圧）をＡＰＤのアノード／カソード間に印加する。すなわち、アノードには基準値よりも低い（−）電位を、カソードには基準値よりも高い（＋）電位を印加する。これらの電位の極性は相対的なものであり、一方の電位をグランド電位とすることも可能である。
【００５２】
図４は、１つのフォトダイオードＰＤ及びクエンチング抵抗Ｒ１の回路図（Ａ）と、この構成を実現するための半導体チップ内の単位構造を示す図（Ｂ）である。半導体チップ内には、フォトダイオードアレイが形成されているので、同図の単位構造が二次元的に複数形成されている。
【００５３】
半導体基板を構成する半導体領域１２は、Ｓｉからなる、Ｎ型（第１導電型）の半導体基板である。フォトダイオードＰＤのアノードはＰ型（第２導電型）の半導体領域１３（１４）であり、カソードはＮ型の半導体領域１２である。ＡＰＤとしてのフォトダイオードＰＤに光子が入射すると、基板内部で光電変換が行われて光電子が発生する。半導体領域１３のｐｎ接合界面の近傍領域において、アバランシェ増倍が行われ、増幅された電子群は半導体領域１２の裏面に形成された電極Ｅ４に向けて流れる。この電極Ｅ４は表面側に設けられていてもよい。すなわち、フォトダイオードＰＤに光子が入射すると、増倍されて、信号として、クエンチング抵抗Ｒ１に電気的に接続された電極又は配線Ｅ３から取り出される。配線Ｅ３は、上述の電極パッドＰＡＤに接続される。
【００５４】
なお、クエンチング抵抗Ｒ１は、２層からなる絶縁層１６、１７のうち、上部の絶縁層１７上に形成されており、半導体領域１３よりも高不純物濃度の半導体領域１４（光検出チャンネル）に電気的に接続されている。半導体基板の裏面には基板電位を与える電極Ｅ４が設けられており、電極Ｅ４は例えば正電位に接続されている。
【００５５】
絶縁層１６及び１７には、コンタクトホールが設けられており、半導体領域１４とクエンチング抵抗Ｒ１とは、コンタクトホール内のコンタクト電極及び配線Ｅ１を介して、電気的に接続されている。なお、配線Ｅ１及びＥ３は、絶縁層１６上に形成されている。
【００５６】
図５は、図４に示した単位構造の平面図である。なお、以下の平面図では絶縁層１６，１７の記載を省略して、内部構造をより明瞭に図示することとする。
【００５７】
配線Ｅ１は絶縁層１６，１７（図７参照）に設けられたコンタクトホールを介して、クエンチング抵抗Ｒ１に接続されている。クエンチング抵抗Ｒ１は、絶縁層１７に設けられたコンタクトホールを介して、その下層に位置する配線Ｅ３に接続されている（図７参照）。配線Ｅ３は、信号読出用の配線であって、絶縁層１６上に形成され、半導体領域１４の周囲を囲んでおり、四角環状の形状を有している。
【００５８】
ここで、クエンチング抵抗Ｒ１は、半導体領域１４上に位置しており、且つ、平面視において（ＸＹ平面をＺ軸方向から見た場合において）、信号読出配線Ｅ３は、半導体領域１４の周囲をリング状に囲むと共に、クエンチング抵抗Ｒ１は、屈曲すること無く直線的に延びている。
【００５９】
図６は、複数の単位構造を備えてなるフォトダイオードアレイの平面図であり、図７は、図６のフォトダイオードアレイのＡ−Ａ矢印縦断面構成を示す図である。
【００６０】
全ての信号読出用の配線Ｅ３は、電極パッドＰＡＤに電気的に接続される。電極パッドＰＡＤは、絶縁層１６上に形成されている。同図では、２行２列のフォトダイオードアレイが形成されているが、これはＮ行×Ｍ列であってもよい（Ｎ、Ｍは２以上の整数）。複数のフォトダイオードを備える構造では、１つの半導体領域１３内に複数の半導体領域１４が形成されている。なお、図７の断面図では、実際にはクエンチング抵抗Ｒ１は見えないが、説明を明瞭にするため、クエンチング抵抗Ｒ１を鎖線で示す。
【００６１】
上述のように、クエンチング抵抗Ｒ１は、半導体領域１４上に絶縁層１６，１７を介して位置しており、且つ、平面視において、信号読出配線Ｅ３は、個々の半導体領域１４の周囲をリング状に囲むと共に、個々のクエンチング抵抗Ｒ１は、屈曲すること無く直線的に延びている。
【００６２】
この光検出器によれば、信号読出配線Ｅ３が、半導体領域１４の周囲をリング状に囲んでいるため、半導体領域１４と信号読出配線Ｅ３との間は近くなり、これらの間にはキャパシタが構成されている。光子の入射に応答して半導体領域１４で発生したキャリアの高周波成分（ピーク成分）は、当該キャパシタを介して、素早く外部に取り出される。ここで、クエンチング抵抗Ｒ１は、半導体領域１４上に形成されているため、信号読出配線Ｅ３を上述の配置とすることができ、配線やクエンチング抵抗によって邪魔されることで半導体領域１４の開口率を小さくしなくても良いため、画素当たりに検出する光量（感度）を大きくすることができる。また、クエンチング抵抗Ｒ１が屈曲することなく直線的に延びていることで、半導体領域１４を覆う部分が小さくなり、開口率が大きくなるという利点もある。
【００６３】
以上、説明したように、本実施形態の光検出器は、半導体基板１２と、半導体基板１２上に形成された半導体領域１３（第１半導体領域）と、半導体領域１３内に二次元状に複数形成され、半導体領域１３よりも不純物濃度が高い半導体領域１４（第２半導体領域）と、個々の半導体領域１４にそれぞれ電気的に接続された複数のクエンチング抵抗Ｒ１と、複数のクエンチング抵抗Ｒ１に電気的に接続された信号読出配線Ｅ３と、を備えている。
【００６４】
ここで、半導体基板１２と半導体領域１３との間の界面、又は、半導体領域１３と半導体領域１４との間の界面において、ｐｎ接合を形成することができ、これらのｐｎ接合によって、ガイガーモードで動作するＡＰＤを構成している。
【００６５】
半導体領域１４は、不純物を半導体領域１３内に拡散することによって形成される拡散領域であり、半導体領域１３よりも高い不純物濃度を有している。本例（タイプ１）では、ｎ型の半導体基板１２（半導体領域）上に、ｐ型の半導体領域１３が形成され、半導体領域１３の表面側に、高濃度にｐ型不純物が添加された半導体領域１４が形成されている。したがって、フォトダイオードを構成するｐｎ接合は、半導体領域１２と半導体領域１３との間に形成されている。
【００６６】
なお、半導体基板の層構造としては、上記とは導電型を反転させた構造を採用することもできる。すなわち、（タイプ２）の構造は、ｐ型の半導体領域１２上に、ｎ型の半導体領域１３を形成し、半導体領域１３の表面側に、高濃度にｎ型不純物が添加された半導体領域１４を形成してなる。
【００６７】
また、ｐｎ接合界面を、表面層側において形成することもできる。この場合、（タイプ３）の構造は、ｎ型の半導体領域１２上に、ｎ型の半導体領域１３が形成され、半導体領域１３の表面側に、ｐ型不純物を高濃度に添加した半導体領域１４が形成される構造となる。なお、この構造の場合には、ｐｎ接合は、半導体領域１３と半導体領域１４との界面において形成される。
【００６８】
もちろん、かかる構造においても、導電型を反転させることができる。すなわち、（タイプ４）の構造は、ｐ型の半導体領域１２上に、ｐ型の半導体領域１３が形成され、半導体領域１３の表面側に、ｎ型不純物を高濃度に添加した半導体領域１４が形成される構造となる。
【００６９】
図８は、改良した単位構造の平面図である。
【００７０】
配線Ｅ１は絶縁層１６，１７（図１０参照）に設けられたコンタクトホールを介して、クエンチング抵抗Ｒ１に接続されている。クエンチング抵抗Ｒ１は、絶縁層１７に設けられたコンタクトホールを介して、その下層に位置する配線Ｅ３に接続されている（図１０参照）。配線Ｅ３は、信号読出用の配線であって、絶縁層１６上に形成され、半導体領域１４の周囲を囲んでおり、四角環状の形状を有している。
【００７１】
上述の実施形態と同様に、クエンチング抵抗Ｒ１は、半導体領域１４上に位置しており、且つ、平面視において（ＸＹ平面をＺ軸方向から見た場合において）、信号読出配線Ｅ３は、半導体領域１４の周囲をリング状に囲むと共に、クエンチング抵抗Ｒ１は、屈曲すること無く直線的に延びているため、図５〜図７の構造の場合と同様の効果を奏する。
【００７２】
この単位構造の図５に示したものとの相違点は、信号読出配線Ｅ３の形状のみであり、他の構造は、同一である。
【００７３】
すなわち、平面視において、半導体領域１４の外縁を規定する境界線ＢＹは、信号読出配線Ｅ３によって覆われている。なお、前述の図５に示した構造の場合、境界線ＢＹは、信号読出配線Ｅ３によって覆われていない。
【００７４】
図９は、図８に示した単位構造を複数備えてなるフォトダイオードアレイの平面図であり、図１０は、図９のフォトダイオードアレイのＡ−Ａ矢印縦断面構成を示す図である。
【００７５】
このフォトダイオードアレイの図６及び図７に示したものとの相違点は、信号読出配線Ｅ３の形状のみであり、他の構造は、同一である。
【００７６】
すなわち、平面視において、信号読出配線Ｅ３は、半導体領域１４と第１半導体領域１３との間の境界線ＢＹ（半導体領域１４の外縁）を覆っている。
【００７７】
この光検出器によれば、信号読出配線Ｅ３が、境界線ＢＹを覆うように、半導体領域１４の周囲をリング状に囲んでいるため、半導体領域１４と信号読出配線Ｅ３との間は非常に近くなり、これらの間にはキャパシタが構成されている。光子の入射に応答して半導体領域１４で発生したキャリアの高周波成分（ピーク成分）は、当該キャパシタを介して、素早く外部に取り出される。
【００７８】
また、信号読出配線Ｅ３が、上述の境界線ＢＹを覆うことにより、半導体における境界線近傍の電位が安定し、出力信号が安定になる。ここで、クエンチング抵抗Ｒ１は、半導体領域１４上に形成されているため、信号読出配線Ｅ３を上述の配置とすることができ、配線やクエンチング抵抗によって邪魔されることで、半導体領域１４の開口率を小さくしなくても良いため、画素当たりに検出する光量（感度）を大きくすることができる。
【００７９】
このように、上述の構造の光検出器によれば、出力信号のピーク及び感度を、同時に高め、また、更に安定性も得ることができる。
【００８０】
また、この光検出器は、平面視において、信号読出配線Ｅ３は、半導体領域１４と半導体領域１３との間の境界線ＢＹを全て覆っている。この場合、信号読出配線Ｅ３と半導体領域１４との間に形成されるキャパシタの容量を大きくして、信号読出配線を介した出力信号のピークを高くすることができる。
【００８１】
図１１は、別の改良をしたフォトダイオードアレイの平面図である。なお、図１１のＡ−Ａ矢印断面構造は、図７と同一である。
【００８２】
このフォトダイオードアレイの構造は、図６及び図７の構造と比較して、信号読出配線Ｅ３の形状のみが異なり、その他の構造は同一である。
【００８３】
この光検出器は、平面視において、信号読出配線Ｅ３は、半導体領域１４と半導体領域１３との間の境界線ＢＹのうち一部のみ（図面の右下の角部のみ）を覆っている。そして、信号読出配線Ｅ３における境界線ＢＹを覆っている部分の信号読出配線Ｅ３の幅方向の寸法（Ｘ軸に沿って延びる配線に対してはＹ軸方向の寸法、Ｙ軸に沿って延びる配線に対してはＸ軸方向の寸法）は、この部分に隣接する部分の幅方向の寸法よりも大きい。
【００８４】
この場合、信号読出配線Ｅ３は、上記境界線ＢＹの一部のみしか覆っていないが、幅方向の寸法が大きいので、キャパシタの容量を大きくして、信号読出配線を介した出力信号のピークを高くすることができる。
【００８５】
図１２は、時間ｔ（ｎｓ）とフォトダイオードアレイの出力信号の強度Ｉ（ａ．ｕ．）を示すグラフである。（Ａ）は比較例の場合のデータを示し、（Ｂ）は実施例（図９の構造）の場合のデータを示す。
【００８６】
なお、横軸の１つのメモリは５（ｎｓ）を示し、グラフの初期値の時刻ｔ０は、−５（ｎｓ）の時刻を示す。また、画素サイズ（信号読出配線Ｅ３から構成される１つの環状の四角の一辺の長さ）は、５０（μｍ）である。
【００８７】
比較例では、図６の構造において、クエンチング抵抗の位置を、リング状の信号読出配線Ｅ３の外側に配置し、個々のリング状の信号読出配線Ｅ３を別の信号読出配線で接続して信号を読み出す構造とした。
【００８８】
実施例の構造の場合、上述のように、第２半導体領域と信号読出配線が近接しているので、キャパシタを介した信号読出しが容易に行われ、信号強度Ｉのピークの高さが、比較例よりも高くなっていることが分かる。すなわち、シンチレータから出射された蛍光が光検出器に入射した際に、初期の段階で光検出器から出力される検出信号の波形ピークが、比較例よりも高くなっている。なお、入光量が増加すればピークの高さは増加する。
【００８９】
以上、説明したように、上述の検出器は、半導体基板１２と、半導体基板１２上に形成された第１半導体領域１３と、第１半導体領域１３内に二次元状に複数形成され、第１半導体領域１３よりも不純物濃度が高い第２半導体領域１４と、個々の第２半導体領域１４にそれぞれ電気的に接続された複数のクエンチング抵抗Ｒ１と、複数のクエンチング抵抗Ｒ１に電気的に接続された信号読出配線Ｅ３と、を備え、半導体基板１２と第１半導体領域１３との間の界面、又は、第１半導体領域１３と第２半導体領域１４との間の界面において、ガイガーモードで動作するＡＰＤを構成するｐｎ接合が形成された光検出器であり、クエンチング抵抗Ｒ１は、第２半導体領域１４上に位置しており、且つ、平面視において、信号読出配線Ｅ３は、個々の第２半導体領域１４の周囲をリング状に囲み、出力信号強度ピークが高くなっている。
【００９０】
最後に、各要素の材料について説明する。
【００９１】
上述のクエンチング抵抗Ｒ１は、これが接続される信号読出配線Ｅ３よりも抵抗率が高い。クエンチング抵抗Ｒ１は、たとえばポリシリコン等からなる。抵抗Ｒ１の形成方法としては、ＣＶＤ（Ｃｈｅｍｉｃａｌ  Ｖａｐｏｒ  Ｄｅｐｏｓｉｔｉｏｎ）法を用いることができる。抵抗Ｒ１を構成する抵抗体としては、その他、ＳｉＣｒ、ＮｉＣｒ、ＴａＮｉ、ＦｅＣｒなどが挙げられる。
【００９２】
上述の電極はアルミニウムなどの金属からなる。半導体基板がＳｉからなる場合には、電極材料としては、アルミニウムの他に、ＡｕＧｅ／Ｎｉなどもよく用いられる。なお、信号取出構造として、貫通電極とバンプを用いることもできる。
【００９３】
Ｓｉを用いた場合におけるｐ型不純物としては、Ｂなどの３族元素が用いられ、ｎ型不純物としては、Ｎ、Ｐ又はＡｓなどの５族元素が用いられる。半導体の導電型であるｎ型とｐ型は、互いに置換して素子を構成しても、当該素子を機能させることができる。これらの不純物の添加方法としては、拡散法やイオン注入法を用いることができる。
【００９４】
上述の絶縁層の材料としては、ＳｉＯ２又はＳｉＮｘを用いることができ、絶縁層の形成方法としては、各絶縁層がＳｉＯ２からなる場合には、熱酸化法又はスパッタ法を用いることができる。
【００９５】
なお、上述の半導体構造における各層の導電型、不純物濃度及び厚みの好適な範囲は以下の通りである。
【００９６】
（タイプ１）半導体領域１２
（導電型／不純物濃度／厚み）
（ｎ型／５×１０１１〜１×１０２０ｃｍ−３／３０〜７００μｍ）
半導体領域１３
（導電型／不純物濃度／厚み）
（ｐ型／１×１０１４〜１×１０１７ｃｍ−３／２〜５０μｍ）
半導体領域１４
（導電型／不純物濃度／厚み）
（ｐ型／１×１０１８〜１×１０２０ｃｍ−３／１０〜１０００ｎｍ）
（タイプ２）
半導体領域１２
（導電型／不純物濃度／厚み）
（ｐ型／５×１０１１〜１×１０２０ｃｍ−３／３０〜７００μｍ）
半導体領域１３
（導電型／不純物濃度／厚み）
（ｎ型／１×１０１４〜１×１０１７ｃｍ−３／２〜５０μｍ）
半導体領域１４
（導電型／不純物濃度／厚み）
（ｎ型／１×１０１８〜１×１０２０ｃｍ−３／１０〜１０００ｎｍ）
（タイプ３）
半導体領域１２
（導電型／不純物濃度／厚み）
（ｎ型／５×１０１１〜１×１０２０ｃｍ−３／３０〜７００μｍ）
半導体領域１３
（導電型／不純物濃度／厚み）
（ｎ型／１×１０１４〜１×１０１７ｃｍ−３／２〜５０μｍ）
半導体領域１４
（導電型／不純物濃度／厚み）
（ｐ型／１×１０１８〜１×１０２０ｃｍ−３／１０〜１０００ｎｍ）
（タイプ４）
半導体領域１２
（導電型／不純物濃度／厚み）
（ｐ型／５×１０１１〜１×１０２０ｃｍ−３／３０〜７００μｍ）
半導体領域１３
（導電型／不純物濃度／厚み）
（ｐ型／１×１０１４〜１×１０１７ｃｍ−３／２〜５０μｍ）
半導体領域１４
（導電型／不純物濃度／厚み）
（ｎ型／１×１０１８〜１×１０２０ｃｍ−３／１０〜１０００ｎｍ）
【００９７】
なお、上記実施形態では、信号読出配線が第２半導体領域の外縁を構成する境界線の全てを覆っていたが、多少、覆っていない箇所があっても、基本的には上記と同様の効果を奏する。この場合、第２半導体領域の周縁において、信号読出配線に覆われていない境界線の長さよりも、信号読出配線に覆われた境界線の長さの方が長くなり、信号読出配線が第２半導体領域の外縁を構成する複数辺において境界線を覆うことになる。
【００９８】
以上説明したように、上述の光検出器によれば、出力信号のピーク及び光量を、同時に高め、また、更に安定性も向上させることができる。また、かかる光検出器を有する検出器は、ＰＥＴ装置やＣＴ装置などの被検体診断装置に適用することができ、その出力信号から高精度な画像を形成することができる。
【符号の説明】
【００９９】
ＳＣ…シンチレータ、Ｒ１…クエンチング抵抗、Ｄ１…光検出器、１２…半導体基板、１３…第１半導体領域、１４…第２半導体領域（光検出チャンネル）。
【図１】
2015119093.tif 000003
【図２】
2015119093.tif 000004
【図３】
2015119093.tif 000005
【図４】
2015119093.tif 000006
【図５】
2015119093.tif 000007
【図６】
2015119093.tif 000008
【図７】
2015119093.tif 000009
【図８】
2015119093.tif 000010
【図９】
2015119093.tif 000011
【図１０】
2015119093.tif 000012
【図１１】
2015119093.tif 000013
【図１２】
2015119093.tif 000014